(57)【要約】【課題】積層されている複数の発電セルを、均一且つ効率的に暖機することを可能にする。【解決手段】燃料電池スタック１０は、各発電セル１４を構成する第１金属セパレータ１８と第２金属セパレータ２０との間に形成される冷却媒体流路３８に対応して熱膨張機構２２が配設される。熱膨張機構２２は密閉される拡縮可能な袋状部材４６と、前記袋状部材４６内に封入され、温度の上昇に伴って膨張することにより、該袋状部材４６を拡張させて冷却媒体流路３８の流路抵抗を増加させる蓄熱部材４８とを備える。【選択図】図３
2008262752.tif 000002
【特許請求の範囲】
【請求項１】
電解質の両側に一対の電極を設けた電解質・電極構造体と、セパレータとが積層される発電セルを備え、複数の前記発電セルが積層されるとともに、所定数の前記発電セル間には、電極面方向に沿って冷却媒体を流す冷却媒体流路が形成される燃料電池スタックであって、
前記冷却媒体流路に配設される熱膨張機構を備え、
前記熱膨張機構は、密閉される拡縮可能なケーシング部材と、
前記ケーシング部材内に封入され、温度の上昇に伴って膨張することにより、該ケーシング部材を拡張させて前記冷却媒体流路の流路抵抗を増加させる熱膨張部材と、
を備えることを特徴とする燃料電池スタック。
【請求項２】
請求項１記載の燃料電池スタックにおいて、前記熱膨張部材は、蓄熱部材を含むことを特徴とする燃料電池スタック。
【請求項３】
請求項１又は２記載の燃料電池スタックにおいて、前記熱膨張部材は、前記冷却媒体の入口からスタック内部に向かって封入量が増加されることを特徴とする燃料電池スタック。
【請求項４】
電解質の両側に一対の電極を設けた電解質・電極構造体と、セパレータとが積層される発電セルを備え、複数の前記発電セルが積層されるとともに、所定数の前記発電セル間には、電極面方向に沿って冷却媒体を流す冷却媒体流路が形成される燃料電池スタックの暖機方法であって、
加熱された前記冷却媒体を前記冷却媒体流路に供給することによって、前記発電セルを暖機する一方、
前記冷却媒体流路に配設される熱膨張機構を介して前記冷却媒体流路の流路抵抗を増加させることを特徴とする燃料電池スタックの暖機方法。
【請求項５】
請求項４記載の暖機方法において、前記熱膨張機構は、熱膨張部材が封入された拡縮可能なケーシング部材を有することを特徴とする燃料電池スタックの暖機方法。
【請求項６】
請求項５記載の暖機方法において、前記熱膨張部材は、蓄熱部材を含むことを特徴とする燃料電池スタックの暖機方法。
【請求項７】
請求項５又は６記載の暖機方法において、前記熱膨張部材は、前記冷却媒体の入口からスタック内部に向かって封入量が増加されることを特徴とする燃料電池スタックの暖機方法。
【発明の詳細な説明】
【技術分野】
【０００１】
本発明は、電解質の両側に一対の電極を設けた電解質・電極構造体と、セパレータとが積層される発電セルを備え、複数の前記発電セルが積層されるとともに、所定数の前記発電セル間には、電極面方向に沿って冷却媒体を流す冷却媒体流路が形成される燃料電池スタック及びその暖機方法に関する。
【背景技術】
【０００２】
例えば、固体高分子型燃料電池は、高分子イオン交換膜からなる固体高分子電解質膜を採用している。この燃料電池は、固体高分子電解質膜の両側にアノード側電極及びカソード側電極を配設した電解質膜・電極構造体を、セパレータ（バイポーラ板）によって挟持している。
【０００３】
ところで、この種の燃料電池では、イオン導電性を維持するために、固体高分子電解質膜を適度に加湿しておく必要がある。さらに、カソード側電極では、反応による生成水が存在する一方、アノード側電極では、前記生成水の逆拡散や結露による水分が存在している。このため、燃料電池を氷点下（水の凍結温度以下）で始動させようとすると、前記燃料電池内の水分が凍結し易く、該燃料電池内で電気化学反応が行われ難いという不具合が指摘されている。
【０００４】
そこで、例えば、特許文献１に開示されている燃料電池の冷却／暖機設備が知られている。この特許文献１では、定常運転時に燃料電池の冷却を行う冷却水循環系内に、冷却水を所定温度以上に保温及び貯蔵するための蓄熱装置が設けられている。
【０００５】
そして、燃料電池の低温起動時には、前記燃料電池を冷却する熱交換器からの冷却水の供給を停止し、蓄熱装置内の保温された冷却水を前記燃料電池に供給するように、冷却水の流路が切り替えられている。次に、燃料電池内部の温度が所定温度以上になった際、熱交換器で冷却された冷却水が燃料電池に供給されるように冷却水の流路が切り替えられることにより、燃料電池内部の温度上昇を抑えるようにしている。
【０００６】
また、特許文献２に開示されている電気化学電池の流体流れの制御では、図６に示すように、燃料電池のセパレーター・プレート１に矩形の冷却チャネル２が設けられるとともに、このセパレーター・プレート１のチャネル・ベース３には、矩形のバイメタル小板４の一端部が固定されている。
【０００７】
冷却チャネル２には、冷却流体５が循環しており、この冷却流体５が燃料電池の運転にとって低すぎる温度である場合、バイメタル小板４が上方に曲がって冷却チャネル２の流れ断面積が縮小されている。従って、冷却チャネル２を流れる冷却流体５の流量が減少し、燃料電池の発電反応によって冷却流体５が加熱されると、バイメタル小板４が自由端部をチャネル・ベース３に向かって曲げられ、流れ断面積が増大されている。
【０００８】
さらにまた、特許文献３に開示されている固体高分子膜型燃料電池では、燃料供給プレートの燃料供給流路相互間に、アノード電極を通して電解質膜に、直接、加湿水を供給する加湿水供給通路が形成されている。そして、加湿水供給通路に加湿水を導入する加湿水導入部が、燃料電池に供給される冷却水の排出口付近に配置されるとともに、前記加湿水導入部には、前記排出された冷却水の温度によって変位する感温部材、例えば、バイメタルが設けられている。このため、バイメタルの変位により、加湿水導入部を流れる加湿水の流量が調整されている。
【０００９】
【特許文献１】特開２００２−４２８４６号公報
【特許文献２】特表２００５−５３６０３３号公報
【特許文献３】特開２００２−９３４４０号公報
【発明の開示】
【発明が解決しようとする課題】
【００１０】
ところで、上記の特許文献１では、外部の蓄熱装置から高温の冷却水を燃料電池に供給する際に、特に、多数の発電セルが積層された燃料電池では、各冷却水流路に対して前記高温の冷却水を均一に供給することができず、前記発電セルによって冷却水流量に差が生じてしまう。このため、複数の発電セルを均一に加熱することができず、発電セル毎に温度の差が生じて発電効率が低下するという問題がある。
【００１１】
しかも、温度の高い発電セル近傍では、冷却水の粘度が低下するため、この冷却水が一層流れ易くなり、温度差が大きくなるという問題がある。
【００１２】
また、上記の特許文献２では、バイメタル小板４が起き上がるように変形することにより、流れ断面積が小さくなって冷却流体５の流量が低下し、熱輸送量が低下している。その際、流路壁の粗度が増大して乱流が起き易くなり、熱輸送量が増大し易くなっている。
【００１３】
このため、バイメタル小板４では、熱輸送量の低下要素と増大要素とが同時に惹起され、制御が困難になるとともに、所望の制御を発揮することができないという問題がある。この種の問題は、感温部材としてバイメタルを使用する特許文献３においても、同様に発生している。
【００１４】
本発明はこの種の問題を解決するものであり、積層されている複数の発電セルを、均一且つ効率的に暖機することが可能な燃料電池スタック及びその暖機方法を提供することを目的とする。
【課題を解決するための手段】
【００１５】
本発明は、電解質の両側に一対の電極を設けた電解質・電極構造体と、セパレータとが積層される発電セルを備え、複数の前記発電セルが積層されるとともに、所定数の前記発電セル間には、電極面方向に沿って冷却媒体を流す冷却媒体流路が形成される燃料電池スタック及びその暖機方法に関するものである。
【００１６】
燃料電池スタックは、冷却媒体流路に配設される熱膨張機構を備え、前記熱膨張機構は、密閉される拡縮可能なケーシング部材と、前記ケーシング部材内に封入され、温度の上昇に伴って膨張することにより、該ケーシング部材を拡張させて前記冷却媒体流路の流路抵抗を増加させる熱膨張部材とを備えている。
【００１７】
また、熱膨張部材は、蓄熱部材を含むことが好ましく、さらに、前記熱膨張部材は、冷却媒体の入口からスタック内部に向かって封入量が増加されることが好ましい。
【００１８】
さらにまた、燃料電池スタックの暖機方法では、加熱された冷却媒体を冷却媒体流路に供給することによって、発電セルを暖機する一方、前記冷却媒体流路に配設される熱膨張機構を介して前記冷却媒体流路の流路抵抗を増加させている。
【発明の効果】
【００１９】
本発明では、加熱された冷却媒体が冷却媒体流路に供給されて発電セルを暖機するとともに、前記発電セルの温度上昇に伴って、前記冷却媒体流路に配設されている熱膨張機構を介して前記冷却媒体流路の流路抵抗が増加している。従って、比較的高温になった発電セルでは、冷却媒体流路を流れる加熱された冷却媒体の流量が減少し、前記発電セルの加熱が抑制される。一方、比較的低温の発電セルでは、冷却媒体流路の流路抵抗が小さいため、この冷却媒体流路に加熱された冷却媒体が集中的に供給され、前記発電セルを迅速に加熱することができる。
【００２０】
これにより、発電セルの暖機状態に応じて、最適な加熱流体（加熱された冷却媒体）流量に設定することができる。このため、積層されている複数の発電セルを、均一且つ効率的に暖機することが可能になる。
【００２１】
また、２以上の発電セル間に冷却媒体流路が形成される、所謂、間引き冷却構造では、前記冷却媒体流路の数が削減されるとともに、前記冷却媒体流路に配設される熱膨張機構の数も有効に削減される。従って、燃料電池全体の積層方向の寸法が良好に短尺化される。
【発明を実施するための最良の形態】
【００２２】
図１は、本発明の第１の実施形態に係る燃料電池スタック１０を組み込む燃料電池システム１２の概略構成説明図である。
【００２３】
燃料電池システム１２は、例えば、自動車等の車両（図示せず）に搭載されており、複数の固体高分子型発電セル（燃料電池）１４が矢印Ａ方向に積層された燃料電池スタック１０を備える。発電セル１４は、図２に示すように、電解質膜・電極構造体（電解質・電極構造体）１６と、前記電解質膜・電極構造体１６を挟持する薄板波形状の第１及び第２金属セパレータ１８、２０とを備える。各発電セル１４間には、互いに隣接する第１及び第２金属セパレータ１８、２０間に位置して、すなわち、後述する冷却媒体流路３８に対応して、熱膨張機構２２が配設される。
【００２４】
発電セル１４の長辺方向（図２中、矢印Ｂ方向）の一端縁部には、矢印Ａ方向に互いに連通して、燃料ガス、例えば、水素含有ガスを供給するための燃料ガス供給連通孔２４ａ、冷却媒体を供給するための冷却媒体供給連通孔２６ａ、及び酸化剤ガス、例えば、酸素含有ガスを排出するための酸化剤ガス排出連通孔２８ｂが設けられる。
【００２５】
発電セル１４の長辺方向の他端縁部には、矢印Ａ方向に互いに連通して、酸化剤ガスを供給するための酸化剤ガス供給連通孔２８ａ、冷却媒体を排出するための冷却媒体排出連通孔２６ｂ、及び燃料ガスを排出するための燃料ガス排出連通孔２４ｂが設けられる。
【００２６】
電解質膜・電極構造体１６は、例えば、パーフルオロスルホン酸の薄膜に水が含浸された固体高分子電解質膜３０と、前記固体高分子電解質膜３０を挟持するカソード側電極３２及びアノード側電極３４とを備える。
【００２７】
カソード側電極３２及びアノード側電極３４は、カーボンペーパ等からなるガス拡散層と、白金合金が表面に担持された多孔質カーボン粒子が前記ガス拡散層の表面に一様に塗布されて形成される電極触媒層とを有する。電極触媒層は、固体高分子電解質膜３０の両面に形成される。
【００２８】
第１金属セパレータ１８の電解質膜・電極構造体１６に向かう面１８ａには、酸化剤ガス供給連通孔２８ａと酸化剤ガス排出連通孔２８ｂとを連通し、例えば、矢印Ｂ方向に延在する酸化剤ガス流路３６が形成される。第１金属セパレータ１８の面１８ｂには、冷却媒体供給連通孔２６ａと冷却媒体排出連通孔２６ｂとを連通する冷却媒体流路３８が形成される。この冷却媒体流路３８は、酸化剤ガス流路３６の裏面形状に対応して構成される。
【００２９】
第２金属セパレータ２０の電解質膜・電極構造体１６に向かう面２０ａには、燃料ガス流路４０が設けられる。この燃料ガス流路４０は、例えば、矢印Ｂ方向に延在しており、燃料ガス供給連通孔２４ａと燃料ガス排出連通孔２４ｂとに連通する。第２金属セパレータ２０の面２０ｂには、第１金属セパレータ１８の面１８ｂと重なり合って冷却媒体流路３８が一体的に形成される。
【００３０】
第１金属セパレータ１８の面１８ａ、１８ｂには、この第１金属セパレータ１８の外周端縁部を周回して第１シール部材４２が一体成形される。第１シール部材４２は、面１８ａで酸化剤ガス供給連通孔２８ａ、酸化剤ガス排出連通孔２８ｂ及び酸化剤ガス流路３６を囲繞してこれらを連通させる一方、面１８ｂで冷却媒体供給連通孔２６ａ、冷却媒体排出連通孔２６ｂ及び冷却媒体流路３８を囲繞してこれらを連通させる。
【００３１】
第２金属セパレータ２０の面２０ａ、２０ｂには、この第２金属セパレータ２０の外周端縁部を周回して第２シール部材４４が一体成形される。第２シール部材４４は、面２０ａで燃料ガス供給連通孔２４ａ、燃料ガス排出連通孔２４ｂ及び燃料ガス流路４０を囲繞してこれらを連通させる一方、面２０ｂで冷却媒体供給連通孔２６ａ、冷却媒体排出連通孔２６ｂ及び冷却媒体流路３８を囲繞してこれらを連通させる。
【００３２】
熱膨張機構２２は、密閉される拡縮可能な袋状部材（ケーシング部材）４６と、前記袋状部材４６内に封入され、温度の上昇に伴って膨張することにより、該袋状部材４６を拡張させて冷却媒体流路３８の流路抵抗を増加させる熱膨張部材、例えば、パラフィン等の蓄熱部材（潜熱蓄熱材）４８とを備える（図２及び図３参照）。
【００３３】
なお、熱膨張部材としては、パラフィン等に代えて、無機化合物（水、アンモニア、二酸化炭素、アルゴン等）、有機化合物（アルコール、アルデヒド、エーテル、飽和炭化水素、エステル等）、形状記憶合金（ニッケル・チタン合金等）、形状記憶樹脂（ポリノルボルネン樹脂、ポリマーアロイ等）、比較的低温度の沸点を有する物質（無機化合物、酸素有機化合物等）、あるいは、熱分解によりガスを発生する物質（金属と酸、金属と塩、金属とアルコール等の組み合わせ）等が使用可能である。
【００３４】
図１に示すように、燃料電池スタック１０は、複数の発電セル１４を矢印Ａ方向に積層するとともに、積層方向両端にエンドプレート５０ａ、５０ｂを配置する。エンドプレート５０ａ、５０ｂは、例えば、図示しない締め付けボルトにより積層方向に締め付けられている。
【００３５】
エンドプレート５０ａには、燃料ガス供給連通孔２４ａ、燃料ガス排出連通孔２４ｂ、冷却媒体供給連通孔２６ａ、冷却媒体排出連通孔２６ｂ、酸化剤ガス供給連通孔２８ａ及び酸化剤ガス排出連通孔２８ｂが設けられるとともに、燃料電池スタック１０の内部に冷却媒体を供給する冷却媒体供給装置５２が配設される。
【００３６】
冷却媒体供給装置５２は、冷却媒体供給連通孔２６ａ及び冷却媒体排出連通孔２６ｂに連結される冷却媒体循環流路５４を有し、前記冷却媒体循環流路５４には、ラジエータ等の熱交換器５６が配設される。冷却媒体循環流路５４には、サーモスタット５８を介してバイパス流路６０が接続される。冷却媒体循環流路５４には、冷却媒体を加熱するための蓄熱ユニット６２と、前記冷却媒体を前記冷却媒体循環流路５４に沿って循環供給するためのポンプ６４とが配置される。
【００３７】
このように構成される燃料電池システム１２の動作について、以下に説明する。
【００３８】
先ず、燃料電池スタック１０の通常運転時について説明すると、図１に示すように、酸化剤ガス供給連通孔２８ａに酸素含有ガス等の酸化剤ガスが供給されるとともに、燃料ガス供給連通孔２４ａに水素含有ガス等の燃料ガスが供給される。さらに、冷却媒体供給装置５２を構成するポンプ６４の作用下に、冷却媒体供給連通孔２６ａに純水やエチレングリコール等の冷却媒体が供給される。
【００３９】
図２に示すように、酸化剤ガスは、酸化剤ガス供給連通孔２８ａから第１金属セパレータ１８の酸化剤ガス流路３６に導入され、電解質膜・電極構造体１６のカソード側電極３２に沿って移動する。一方、燃料ガスは、燃料ガス供給連通孔２４ａから第２金属セパレータ２０の燃料ガス流路４０に導入され、電解質膜・電極構造体１６のアノード側電極３４に沿って移動する。
【００４０】
従って、電解質膜・電極構造体１６では、カソード側電極３２に供給される酸化剤ガスと、アノード側電極３４に供給される燃料ガスとが、電極触媒層内で電気化学反応により消費され、発電が行われる。
【００４１】
次いで、カソード側電極３２に供給されて消費された酸化剤ガスは、酸化剤ガス排出連通孔２８ｂに沿って流動する。同様に、アノード側電極３４に供給されて消費された燃料ガスは、燃料ガス排出連通孔２４ｂに排出されて流動する。
【００４２】
また、冷却媒体は、冷却媒体供給連通孔２６ａから第１及び第２金属セパレータ１８、２０間の冷却媒体流路３８に導入された後、矢印Ｂ方向に沿って流動する。この冷却媒体は、電解質膜・電極構造体１６を冷却した後、冷却媒体排出連通孔２６ｂを移動して燃料電池スタック１０から冷却媒体循環流路５４に排出され、前記燃料電池スタック１０に循環される（図１参照）。
【００４３】
次いで、燃料電池スタック１０が低温始動される際について、説明する。
【００４４】
先ず、冷却媒体供給装置５２では、蓄熱ユニット６２を介して冷却媒体が加熱されている。そして、加熱された冷却媒体は、ポンプ６４の作用下に、燃料電池スタック１０内の冷却媒体流路３８に供給される。その際、図２及び図３に示すように、各冷却媒体流路３８には、熱膨張機構２２が配設されている。
【００４５】
このため、加熱された冷却媒体が、冷却媒体流路３８に流入すると、熱膨張機構２２を構成し袋状部材４６内に封入されている蓄熱部材４８は、前記加熱された冷却媒体からの熱エネルギを吸収し、例えば、固体から液体に相変化する。従って、袋状部材４６は、蓄熱部材４８を封入している空間の容積が増大することにより拡張し、冷却媒体流路３８の断面積が減少されて流路抵抗が大きくなる（図４参照）。
【００４６】
これにより、暖機された発電セル１４は、冷却媒体流路３８に高温の冷却媒体が導入され難くなるとともに、比較的低温の発電セル１４では、冷却媒体流路３８により多くの高温の冷却媒体が流れる（図３参照）。すなわち、比較的高温になった発電セル１４では、冷却媒体流路３８を流れる高温の冷却媒体の流量が減少して前記発電セル１４の加熱が抑制される。一方、比較的低温の発電セル１４では、冷却媒体流路３８の流路抵抗が小さいため、高温の冷却媒体が集中的に供給されて前記発電セル１４を迅速に加熱することができる。
【００４７】
このため、第１の実施形態では、燃料電池スタック１０において、発電セル１４の暖機状態に応じて高温の冷却媒体を最適な流量に設定することができる。従って、各発電セル１４を均一且つ最適な状態で暖機することが可能になり、発電効率を向上させることができるという効果が得られる。
【００４８】
さらに、熱膨張部材として、パラフィン等の蓄熱部材４８が使用されている。これにより、燃料電池スタック１０が断続運転される場合、発電セル１４の温度低下時に蓄熱部材４８から熱が放出される。このため、発電セル１４を良好に保温することが可能になり、燃料電池スタック１０全体の温度低下速度が有効に緩和され、発電効率を上げることができるという利点がある。しかも、燃料電池スタック１０の熱衝撃（ヒートショック）による寿命の低下を抑制することが可能になる。
【００４９】
図５は、本発明の第２の実施形態に係る燃料電池スタック７０の一部断面説明図である。なお、第１の実施形態に係る燃料電池スタック１０と同一の構成要素には同一の参照符号を付して、その詳細な説明は省略する。
【００５０】
燃料電池スタック７０では、冷却媒体供給連通孔２６ａの近傍に、すなわち、エンドプレート５０ａ側に所定数の熱膨張機構２２ａが配置されるとともに、前記冷却媒体供給連通孔２６ａから離間する位置に、すなわち、エンドプレート５０ｂ側に所定数の熱膨張機構２２ｂが配置される。熱膨張機構２２ａ、２２ｂは、袋状部材４６ａ、４６ｂを備え、前記袋状部材４６ａ、４６ｂ内には、蓄熱部材４８ａ、４８ｂが封入される。蓄熱部材４８ｂの封入量は、蓄熱部材４８ａの封入量よりも多量に設定される。
【００５１】
このように構成される第２の実施形態では、冷却媒体供給連通孔２６ａを介して燃料電池スタック７０に供給される加熱された冷却媒体は、この冷却媒体供給連通孔２６ａから離間する側の発電セル１４間に設けられている冷却媒体流路３８に流れ易い。
【００５２】
その際、冷却媒体供給連通孔２６ａから離間する位置に配置されている熱膨張機構２２ｂの蓄熱部材４８ｂの封入量は、前記冷却媒体供給連通孔２６ａの近傍に配置されている熱膨張機構２２ａの蓄熱部材４８ａの封入量よりも多量に設定されている。従って、奥側の発電セル１４が加熱された後に、手前側の発電セル１４の冷却媒体流路３８に対して、加熱された冷却媒体を集中して供給することができる。
【００５３】
これにより、燃料電池スタック７０全体にわたって各発電セル１４を均一且つ迅速に加熱することができ、前記燃料電池スタック７０の始動性が向上するとともに、発電効率を向上させることが可能になるという効果が得られる。
【００５４】
なお、第２の実施形態では、蓄熱部材封入量を手前側の熱膨張機構２２ａと奥側の熱膨張機構２２ｂとの２段階に増加させるように構成しているが、これに限定されるものではない。例えば、燃料電池スタック７０のエンドプレート５０ａ側からエンドプレート５０ｂ側に向かって、蓄熱部材封入量を３段以上に段階的に増加させることができ、又は、連続的に増加させることも可能である。
【００５５】
さらにまた、第１及び第２の実施形態では、発電セル１４間の各冷却媒体流路３８に熱膨張機構２２、２２ａ及び２２ｂが配置されているが、複数の冷却媒体流路３８毎に配置してもよい。燃料電池スタック１０、７０は、積層方向の寸法が良好に短尺化されるからである。
【図面の簡単な説明】
【００５６】
【図１】本発明の第１の実施形態に係る燃料電池スタックを組み込む燃料電池システムの概略構成説明図である。
【図２】前記燃料電池スタックを構成する発電セルの要部分解斜視図である。
【図３】前記燃料電池スタックの断面説明図である。
【図４】前記燃料電池スタックに配設された熱膨張機構の動作を示す断面説明図である。
【図５】本発明の第２の実施形態に係る燃料電池スタックの一部断面説明図である。
【図６】特許文献２の説明図である。
【符号の説明】
【００５７】
１０、７０…燃料電池スタック          １２…燃料電池システム
１６…電解質膜・電極構造体            １８、２０…金属セパレータ
２２、２２ａ、２２ｂ…熱膨張機構      ２４ａ…燃料ガス供給連通孔
２４ｂ…燃料ガス排出連通孔            ２６ａ…冷却媒体供給連通孔
２６ｂ…冷却媒体排出連通孔            ２８ａ…酸化剤ガス供給連通孔
２８ｂ…酸化剤ガス排出連通孔          ３０…固体高分子電解質膜
３２…カソード側電極                  ３４…アノード側電極
３６…酸化剤ガス流路                  ３８…冷却媒体流路
４０…燃料ガス流路                    ４６、４６ａ、４６ｂ…袋状部材
４８、４８ａ、４８ｂ…蓄熱部材        ５０ａ、５０ｂ…エンドプレート
５２…冷却媒体供給装置
【図１】
2008262752.tif 000003
【図２】
2008262752.tif 000004
【図３】
2008262752.tif 000005
【図４】
2008262752.tif 000006
【図５】
2008262752.tif 000007
【図６】
2008262752.tif 000008